(57)【要約】      （修正有）【課題】照明を点灯すると、火袋の絵や模様が浮き出るのみならず、背景も映えて、置き場所を選ばない飾り台付き提灯を提供する。【解決手段】本飾り台付き提灯１は、水平な基台２と、該基台２の後部に立設される垂直枠３と、該垂直枠３の上部に上端部が支持され、垂直枠３の垂直面に沿って垂らされ、さらに、下端部が垂直枠３の下部から基台２の上面に沿って敷かれている背景幕４と、該背景幕４を中間に介して基台２上に設置、固定される置き型の提灯本体５とからなる。垂直枠３の上部には手持ち可能な横枠３ｂが設けられている。また、基台２と垂直枠３とは、ねじ軸と蝶ナットとで着脱自在に締め付け、固定されている。【選択図】図１
0003169201.tif 000002
【実用新案登録請求の範囲】
【請求項１】
水平な基台と、
前記基台の後部に立設される垂直枠と、
前記垂直枠の上部に上端部が支持され、前記垂直枠の垂直面に沿って垂らされている背景幕と、
前記背景幕を中間に介して基台上に設置、固定される置き型の提灯本体と
からなる飾り台付き提灯。
【請求項２】
前記背景幕は、さらに、下端部が前記垂直枠の下部から前記基台の上面に沿って敷かれている請求項１記載の飾り台付き提灯。
【請求項３】
前記垂直枠の上部には手持ち可能な横枠が設けられている請求項１または２に記載の飾り台付き提灯。
【請求項４】
前記基台と前記垂直枠とは、ねじ軸と蝶ナットとで着脱自在に締め付け、固定されている請求項１から３のいずれかの項に記載の飾り台付き提灯。
【請求項５】
前記提灯本体の内部を照明する電球が差し込まれる電球ソケットが前記基台に固定され、前記電球ソケットに接続される電線が、前記基台に設けた穴を通して前記基台の底部から引き出される請求項１から４のいずれかの項に記載の飾り台付き提灯。
【考案の詳細な説明】
【技術分野】
【０００１】
本考案は、葬祭や盆のときに使用され、あるいはインテリアとしても使用できる飾り台付き提灯に関する。
【背景技術】
【０００２】
提灯には、大きく分けて、伸縮自在の火袋を持つ、吊り下げて使用する吊り下げ型と、火袋が筒状に自立する置き型とがある。
【０００３】
置き型の提灯として、台盤、柱、取手、支脚及び火袋を有し、支脚を固定要素により台盤に固定した据え置き型の提灯であって、台盤には火袋の下部を止める所要数の火袋止め具が取り付けられており、火袋止め具は台盤に支脚を固定する前記固定要素によって台盤に取り付けられている提灯が特許文献１に開示されている。
【先行技術文献】
【特許文献】
【０００４】
【特許文献１】特開２０１０−１５７４０８号公報
【考案の概要】
【考案が解決しようとする課題】
【０００５】
前掲の特許文献１に開示された提灯では、火袋を高い位置で支える支脚が設けられており、火袋に付された絵や模様が浮き出て、飾り照明の効果もあるが、置く場所によっては、周囲の照明効果が薄いという欠点もあった。
【０００６】
そこで本考案は、照明を点灯すると、火袋の絵や模様が浮き出るのみならず、背景も映えて、置き場所を選ばない飾り台付き提灯を提供することを目的とする。
【課題を解決するための手段】
【０００７】
前記課題を解決するため、本考案の飾り台付き提灯は、水平な基台と、前記基台の後部に立設される垂直枠と、前記垂直枠の上部に上端部が支持され、前記垂直枠の垂直面に沿って垂らされている背景幕と、前記背景幕を中間に介して基台上に設置、固定される置き型の提灯本体とからなることを特徴とする。
【０００８】
本考案においては、置き型の提灯本体が基台上に固定され、提灯本体の後方に立設された垂直枠に背景幕が垂らされているため、提灯本体内部の照明を点灯したとき、提灯本体の火袋の絵や模様が浮き出るほかに、後方の背景幕の柄や模様が照らされ、火袋の絵や模様と相俟って、豪華な飾り照明となる。
【０００９】
前記背景幕は、さらに、下端部が前記垂直枠の下部から前記基台の上面に沿って敷かれていることにより、背景から基台の上まで、連続した背景幕の柄や模様が照らされる。
【００１０】
前記垂直枠の上部には手持ち可能な横枠が設けられていることにより、横枠を手で吊り下げることによって、飾り台付き提灯全体を移動することが容易となる。
【００１１】
前記基台と前記垂直枠とは、ねじ軸と蝶ナットとで着脱自在に締め付け、固定されていることにより、工具を用いないで基台と垂直枠との組立や分解ができる。
【００１２】
前記提灯本体の内部を照明する電球が差し込まれる電球ソケットが前記基台に固定され、前記電球ソケットに接続される電線が、前記基台に設けた穴を通して前記基台の底部から引き出される構成とすることにより、電線の引き出しが複雑化せず、簡素化される。
【考案の効果】
【００１３】
本発明によれば、水平な基台と、前記基台の後部に立設される垂直枠と、前記垂直枠の上部に上端部が支持され、前記垂直枠の垂直面に沿って垂らされている背景幕と、前記背景幕を中間に介して基台上に設置、固定される置き型の提灯本体とからなることにより、照明を点灯すると、火袋の絵や模様が浮き出るのみならず、背景も映えて、置き場所を選ばない飾り台付き提灯が得られる。
【図面の簡単な説明】
【００１４】
【図１】本考案の実施の形態に係る飾り台付き提灯を示す斜視図である。
【図２】本考案の実施の形態に係る飾り台付き提灯を示す断面図である。
【考案を実施するための形態】
【００１５】
以下、本考案の実施の形態を、図１および図２を参照しながら説明する。
これらの図において、本実施の形態の飾り台付き提灯１は、水平な基台２と、基台２の後部に立設される垂直枠３と、垂直枠３の上部に上端部が支持され、垂直枠３の垂直面に沿って垂らされ、さらに、下端部が垂直枠３の下部から基台２の上面に沿って敷かれている背景幕４と、背景幕４を中間に介して基台２上に設置、固定される置き型の提灯本体５とからなる。
基台２と垂直枠３は、ねじ軸６と蝶ナット７で固定されている。
【００１６】
提灯本体５は、図２に示すように螺旋状の骨に紙を貼った火袋５ａと、火袋５ａの下部に取り付けられた下部加輪５ｂと、火袋５ａの上部に取り付けられた上部加輪５ｃと、火袋５ａの下部に位置して、電球５ｄが差し込まれる電球ソケット５ｅとを備えている。電球ソケット５ｅは高さ調整用パイプ１４の上部に固定され、高さ調整用パイプ１４の下部は筒型台座８に固定されている。筒型台座８の底部にはボルト８ａが取り付けられていて、下部加輪５ｂと、台板５ｆと、背景幕４と、基台２とを貫通してナット９で締め付けられ、固定されている。また、基台２には穴２ａが設けられていて、電球ソケット５ｅからの電線１０が通されて基台２の下部から引き出されている。基台２の底面には、脚１１が取り付けられている。
【００１７】
垂直枠３の上部には、背景幕４の上端に形成された筒状部を通す横棒３ａが設けられており、さらにその上に、手持ち可能な横枠３ｂが設けられている。
提灯本体５の上部加輪５ｃの上には、飾り蓋１２が載せられ、飾り蓋１２の左右には房１３が垂らされている。
【００１８】
なお、本実施の形態では、背景幕４の下部を伸ばして基台２の上に敷いた例を示したが、背景幕３は単に垂直枠３の部分に上から垂らすのみでもよい。
【００１９】
本実施の形態においては、提灯本体５が基台２上に固定され、提灯本体５の後方に立設された垂直枠３に背景幕４が垂らされているため、提灯本体５内部の電球５ｄを点灯したとき、提灯本体５の火袋５ａの絵や模様が浮き出るほかに、後方の背景幕４の柄や模様が照らされ、火袋５ａの絵や模様と相俟って、豪華な飾り照明となる。
【００２０】
背景幕４は、さらに、下端部が垂直枠３の下部から基台２の上面に沿って敷かれていることにより、背景から基台２の上まで、連続した背景幕４の柄や模様が照らされる。
【００２１】
垂直枠３の上部には手持ち可能な横枠３ｂが設けられていることにより、横枠３ｂを手で吊り下げることによって、飾り台付き提灯１全体を移動することが容易となる。
【００２２】
基台２と垂直枠３とは、ねじ軸６と蝶ナット７で着脱自在に締め付け、固定するようにしたことにより、工具を用いないで組立や分解ができる。例えば、盆や法事といった祭事のために毎年、１度か２度取り出したり、箱に収納したりするときに、蝶ナット７を手で回すことにより、容易に組立や分解ができる。
【００２３】
提灯本体５の内部を照明する電球５ｄが差し込まれる電球ソケット５ｅが基台２に固定され、電球ソケット５ｅに接続される電線１０が、基台２に設けた穴２ａを通して基台２の底部から引き出される構成とすることにより、電線１０の引き出しが複雑化せず、簡素化される。
【産業上の利用可能性】
【００２４】
本考案は、照明を点灯すると、火袋の絵や模様が浮き出るのみならず、背景も映えて、置き場所を選ばない飾り台付き提灯として、葬祭や盆のときに使用され、あるいはインテリアとしても使用できる照明器具の分野で利用することができる。
【符号の説明】
【００２５】
１  飾り台付き提灯
２  基台
２ａ  穴
３  垂直枠
４  背景幕
５  提灯本体
５ａ  火袋
５ｂ  下部加輪
５ｃ  上部加輪
５ｄ  電球
５ｅ  電球ソケット
５ｆ  台板
６  ねじ軸
７  蝶ナット
８  筒型台座
８ａ  ボルト
９  ナット
１０  電線
１１  脚
１２  飾り蓋
１３  房
１４  高さ調整用パイプ
【図１】
0003169201.tif 000003
【図２】
0003169201.tif 000004